(57)【要約】【課題】  ＤＲＭ放送を受信する機器に複数のデコーダを設ける必要もなく、複数のストリームを簡単な処理で他の機器に伝送することが可能な「車載オーディオ装置および情報伝送方法」を提供する。【解決手段】  ＤＲＭ放送の信号中に多重されているデジタルオーディオ信号やデータを第１のダウンコンバータ４で周波数変換することにより、複数の機器間を接続しているバス１００で伝送可能な周波数帯域以内のＩＦ−１信号を生成し、生成したＩＦ−１信号をバス１００に伝送することにより、デジタルオーディオ信号やデータが多重されたままの状態でこれをＩＦ−１信号として、帯域が１００ｋＨｚのバス（既存のオーディオライン）１００に伝送することができるようにする。【選択図】        図１
2007110465.tif 000002
【特許請求の範囲】
【請求項１】
１つの搬送波に複数のストリームが多重されている放送信号を受信するチューナ部と、
上記チューナ部で受信された放送信号を周波数変換して、複数の機器間を接続しているバスで伝送可能な周波数帯域以内の中間周波信号を生成する周波数変換部と、
上記周波数変換部により生成された中間周波信号を上記バスに伝送する信号伝送部とを備えたことを特徴とする車載オーディオ装置。
【請求項２】
チューナ部で受信された、１つの搬送波に複数のストリームが多重されている放送信号を周波数変換し、複数の機器間を接続しているバスで伝送可能な周波数帯域以内の中間周波信号を生成する第１のステップと、
上記第１のステップで生成された中間周波信号を上記バスに伝送する第２のステップとを有することを特徴とする情報伝送方法。
【発明の詳細な説明】
【技術分野】
【０００１】
本発明は車載オーディオ装置および情報伝送方法に関し、特に、１つの搬送波に複数のストリームが多重されている放送信号を受信するとともに、放送信号を他の機器との間でバスを介してやり取りする機能を有する車載オーディオ装置に用いて好適なものである。
【背景技術】
【０００２】
最近の車載オーディオシステムにおいては、複数のオーディオ機器をバスで接続し、バスを介してあるオーディオ機器の再生音やデータを他のオーディオ機器で利用可能にしているものがある。例えば、複数の機器間でオーディオ信号を共有化する方法として、複数の機器を共通の信号線（オーディオライン）で接続するといった方法がある。この場合は、ある機器で再生されたオーディオ信号をオーディオラインに出力し、他の機器はオーディオラインに流れているオーディオ信号を受信して利用する。また、ＭＯＳＴやＩＥＥＥ１３９４などの高速バスを用いて、一つの機器で再生されたオーディオ信号を他の機器に伝送する手法もある（例えば、特許文献１参照）。
【特許文献１】特開２００４−２８９３６０号公報
【０００３】
ところで、ヨーロッパや北米（東海岸北部）などの地域において、ＤＲＭ（Digital Radio Mondiale）と呼ばれるラジオ放送が行われている。ＤＲＭ放送は、短波、ＡＭ／中波、長波を使用したデジタル放送システムである。ＤＲＭ放送では主に短波が使用され、一つ搬送波でアナログオーディオ信号、デジタルオーディオ信号、データといった複数のストリームが同時配信されている。このようなＤＲＭ放送の信号を、バスを介して複数の機器間で共有する場合、ある機器で１つの周波数に合わせて受信した放送信号から所望のストリームを分離してデコードし、デコードしたストリームをバスに乗せて他の機器へ伝送することが可能である。
【発明の開示】
【発明が解決しようとする課題】
【０００４】
しかしながら、複数のストリームを同時にバスを介して他の機器に伝送するには、複数のストリームが多重されたＤＲＭ放送の信号からそれぞれのストリームを分離してデコードし、更にデコードしたそれぞれのストリームをバスに多重する処理が必要になる。そのため、ＤＲＭ放送の受信機器に複数のデコーダが必要になるという問題があった。また、ＤＲＭ放送の受信機器において行われる伝送処理が煩雑になるという問題もあった。
【０００５】
本発明は、このような問題を解決するために成されたものであり、１つの搬送波に複数のストリームが多重されているＤＲＭ放送を受信する機器に複数のデコーダを設ける必要もなく、当該複数のストリームを簡単な処理で他の機器に伝送できるようにすることを目的とする。
【課題を解決するための手段】
【０００６】
上記した課題を解決するために、本発明では、１つの搬送波に複数のストリームが多重されている放送信号を周波数変換することにより、複数の機器間を接続しているバスで伝送可能な周波数帯域以内の中間周波信号を生成し、生成した中間周波信号をバスに伝送するようにしている。
【発明の効果】
【０００７】
上記のように構成した本発明によれば、放送信号に含まれている複数のストリームが多重された状態で中間周波信号を生成し、この中間周波信号をバスに伝送することが可能となる。これにより、放送信号を受信する機器に、複数のストリーム用に複数のデコーダを設ける必要がなくなる。また、複数のストリームを個別にバスに伝送する必要がなく、中間周波信号という１つの信号を扱えば良いので、複数のストリームを簡単な処理で他の機器に伝送することができる。
【発明を実施するための最良の形態】
【０００８】
以下、本発明の一実施形態を図面に基づいて説明する。図１は、本実施形態による車載オーディオ装置の要部構成例を示すブロック図である。本実施形態の車載オーディオ装置は、バス１００を介して他の機器と接続されており、他の機器との間で信号をやり取りすることが可能となっている。なお、ここではバス１００の例として、機器間でアナログオーディオ信号を伝送するためのオーディオラインを用いるものとする。また、そのオーディオラインの信号伝送帯域は１００ｋＨｚ以下であるとする。
【０００９】
図１において、１はアンテナ、２はフロントエンド部（Ｆ／Ｅ）であり、放送信号の電波を受信する。ここでは一例として、ＤＲＭによるデジタルラジオ放送の電波を受信するものとして説明する。ＤＲＭ放送では、１つ搬送波にアナログオーディオ信号、デジタルオーディオ信号、データといった複数のストリームが多重されている。
【００１０】
フロントエンド部２は、アンテナ１を介して受信したラジオ放送の電波から所望のチャンネルに合致した受信周波数の信号を選択的に抽出して出力するためのチューナ部を備えている。チューナ部は、アンテナ１を介してＤＲＭ放送の高周波信号（ＲＦ信号）を受信する。そして、受信した高周波信号と、希望受信周波数に応じて制御された局部発振周波数の信号とを混合することにより、ＩＦ信号を生成する。
【００１１】
フロントエンド部２は、チューナ部のほかに、検波回路、デマルチプレクサなどを備えている。検波回路は、チューナ部により生成されたＩＦ信号を復調し、アナログオーディオ信号、デジタルオーディオ信号、データといった複数のストリームが多重されて成る多重化ストリームを得る。デマルチプレクサは、多重化ストリームを分離して、アナログオーディオ信号とそれ以外の信号（デジタルオーディオ信号およびデータの多重化信号）とを得る。
【００１２】
ここで分離されたアナログオーディオ信号は、周波数帯域が２０ｋＨｚ以下の信号である。このアナログオーディオ信号は、検波出力として第１のソースセレクタ３に出力される。一方、デマルチプレクサにより分離されたデジタルオーディオ信号およびデータの多重化信号は、周波数帯域が例えば１００ｋＨｚより大きな信号である。このデジタルオーディオ信号およびデータの多重化信号は、第１のダウンコンバータ４に出力される。
【００１３】
第１のソースセレクタ３に入力されたアナログオーディオ信号は、当該第１のソースセレクタ３により選択されて、フィルタ５を介してマルチプレクサ６に出力される。フィルタ５は、２０ｋＨｚ以下のアナログオーディオ信号のみを通過させるものである。
【００１４】
第１のダウンコンバータ４は、本発明の周波数変換部に相当するものであり、フロントエンド部２から出力されたデジタルオーディオ信号およびデータの多重化信号を周波数変換（ダウンコンバート）して、バス１００で伝送可能な周波数帯域以内、すなわち、１００ｋＨｚ以下のＩＦ−１信号（本発明の中間周波信号に相当）を生成する。このＩＦ−１信号は、例えば３０〜６０ｋＨｚの周波数帯を使う信号とする。第１のダウンコンバータ４により生成されたＩＦ−１信号は、マルチプレクサ６に出力される。
【００１５】
マルチプレクサ６は、フィルタ５から供給されるアナログオーディオ信号に対して、第１のダウンコンバータ４から供給されるＩＦ−１信号を重畳し、その結果をフィルタ７に出力する。フィルタ７は、２０ｋＨｚ以下のアナログオーディオ信号と３０〜６０ｋＨｚのＩＦ−１信号とを共に通過させるものである。フィルタ７を通過した信号は、信号伝送部８に出力される。
【００１６】
信号伝送部８は、フィルタ７より供給された信号（第１のダウンコンバータ４により生成されたＩＦ−１信号を含む）をバス１００に伝送する。信号伝送部８はまた、図示しない他の供給から伝送されてきた信号を受信して、これをフィルタ９，１０に出力する処理も行う。フィルタ９は、受信した信号中に含まれているＩＦ−１信号のみを通過させるものである。また、フィルタ１０は、受信した信号中に含まれているアナログオーディオ信号のみを通過させるものである。
【００１７】
図２は、信号伝送部８によってバス１００に伝送されるアナログオーディオ信号とＩＦ−１信号の周波数帯域を示す図である。図２に示すように、１００ｋＨｚ以下の信号伝送帯域を有するバス１００において、アナログオーディオ信号によって０〜２０ｋＨｚの帯域が占有され、ＩＦ−１信号によって３０〜６０ｋＨｚの帯域が占有される。
【００１８】
１１は第２のソースセレクタであり、第１のダウンコンバータ４より供給されるＩＦ−１信号（自機器内で生成したＩＦ−１信号）と、フィルタ９より供給されるＩＦ−１信号（他の機器で生成されバス１００を介して送られてきたＩＦ−１信号）との何れかを選択して出力する。
【００１９】
１２は第２のダウンコンバータであり、第２のソースセレクタ１１から出力されたＩＦ−１信号を周波数変換して、ＤＲＭデコーダ１３で扱う周波数の信号（ＩＦ−２信号）を生成する。ここでは、ＩＦ−１信号の周波数帯域よりもＩＦ−２信号の周波数帯域の方が低い場合を想定している。すなわち、第２のダウンコンバータ１２は、ＩＦ−１信号の周波数をダウンコンバートすることによってＩＦ−２信号を生成する。
【００２０】
ＤＲＭデコーダ１３は、第２のダウンコンバータ１２より供給されるＩＦ−２信号に対して所定のデコード処理を行うことにより、デジタルオーディオ信号とデータとを分離するとともに、符号化（デジタル化）されているデジタルオーディオ信号とデータをもとの信号に戻す。ＤＲＭデコーダ１３によりデコードされたオーディオ信号は第１のソースセレクタ３に出力される。また、デコードされたデータはディスプレイコントローラ１８に出力され、ディスプレイ１９に表示される。
【００２１】
第１のソースセレクタ３は、フロントエンド部２より供給されるアナログオーディオ信号（自機器で受信したもの）と、信号伝送部８よりフィルタ１０を介して供給されるアナログオーディオ信号（他の機器で受信されバス１００を介して送られてきたもの）と、ＤＲＭデコーダ１３より供給されるデコード済みのデジタルオーディオ信号（自機器内で生成したものまたは他の機器で生成されバス１００を介して送られてきたもの）との何れかを選択して出力する。
【００２２】
第１のソースセレクタ３でフロントエンド部２または信号伝送部８からのアナログオーディオ信号が選択されたとき、選択されたオーディオ信号は、フィルタ１４を介してアッテネータ１５に供給される。ここで、フィルタ１４は、２０ｋＨｚ以下のアナログオーディオ信号のみを通過させる。アッテネータ１５は、信号レベルの高いオーディオ出力を信号レベルの低いものに減衰してオーディオアンプ１６に供給する。オーディオアンプ１６は、アッテネータ１５から供給されるオーディオ信号を増幅し、音声としてスピーカ１７から出力する。
【００２３】
第１のソースセレクタ３で選択されたフロントエンド部２からのアナログオーディオ信号を他の機器に伝送する場合には、選択されたオーディオ信号は、フィルタ５を介してマルチプレクサ６に供給される。そして、マルチプレクサ６によってアナログオーディオ信号に対してＩＦ−１信号が重畳され、その結果がフィルタ７を介して信号伝送部８に供給される。信号伝送部８は、フィルタ７より供給された信号をバス１００に伝送する。なお、オーディオ信号を他の機器に伝送する場合には、第１のソースセレクタ３は、必ずフロントエンド部２から供給されるアナログオーディオ信号を選択する。
【００２４】
また、第１のソースセレクタ３でＤＲＭデコーダ１３からの信号が選択されたとき、デコード済みのデジタルオーディオ信号は、フィルタ１４、アッテネータ１５、オーディオアンプ１６の処理経路を進み、音声としてスピーカ１７から出力される。ここで、デコード済みのデジタルオーディオ信号は、フィルタ５の方に出力されることはない。
【００２５】
次に、上記のように構成した車載オーディオ装置の動作を説明する。ここでは、バス１００に２つの車載オーディオ装置が接続されており、その両方とも図１のような構成を有しているものとする。そして、これら２つの車載オーディオ装置の間で信号のやり取りを行うものとする。
【００２６】
一方の車載オーディオ装置（一方の機器）で、ある周波数のＤＲＭ放送をフロントエンド部２で受信しているとき、その放送信号に多重されているアナログオーディオ信号が検波されて第１のソースセレクタ３に供給される。また、放送信号に多重されているデジタルオーディオ信号およびデータに関して、バス１００へ重畳するＩＦ−１信号が第１のダウンコンバータ４によって生成されるとともに、ＤＲＭデコーダ１３で扱うＩＦ−２信号が第２のダウンコンバータ１２によって生成される。このうち、ＩＦ−２信号はＤＲＭデコーダ１３によりデコードされて、デコード済みのデジタルオーディオ信号が第１のソースセレクタ３に供給される。また、デコードされたデータがディスプレイコントローラ１８に供給されて、ディスプレイ１９に表示される。
【００２７】
放送信号に多重されているアナログオーディオ信号を一方の機器で聴取する場合には、第１のソースセレクタ３においてフロントエンド部２からのアナログオーディオ信号が選択される。また、放送信号に多重されているデジタルオーディオ信号を一方の機器で聴取する場合には、第１のソースセレクタ３においてＤＲＭデコーダ１３からのデコード済みデジタルオーディオ信号が選択される。そして、選択された何れかのオーディオ信号がフィルタ１４、アッテネータ１５およびオーディオアンプ１６によって処理され、スピーカ１７から出力される。
【００２８】
また、放送信号に多重されているアナログオーディオ信号を他方の車載オーディオ装置（他方の機器）に伝送する場合には、第１のソースセレクタ３においてフロントエンド部２からのアナログオーディオ信号が選択され、それがフィルタ５を介してマルチプレクサ６に供給される。そして、マルチプレクサ６において、フィルタ５から供給されるアナログオーディオ信号に対して、第１のダウンコンバータ４から供給されるＩＦ−１信号が重畳される。このように重畳して生成された信号が、信号伝送部８からバス１００を介して他方の機器に伝送される。
【００２９】
他方の機器では、バス１００から送られてくる信号を信号伝送部８により受け取る。信号伝送部８で受信された信号がフィルタ９を通過することによりＩＦ−１信号が取り出され、フィルタ１０を通過することによりアナログオーディオ信号が取り出される。そして、アナログオーディオ信号は第１のソースセレクタ３に供給され、ＩＦ−１信号は第２のソースセレクタ１１および第２のダウンコンバータ１２を介してＤＲＭデコーダ１３に供給される。ここでデコードされたデジタルオーディオ信号は第１のソースセレクタ３に供給され、データはディスプレイコントローラ１８に供給される。
【００３０】
ここで、一方の機器から送られてきたアナログオーディオ信号を他方の機器で聴取する場合は、第１のソースセレクタ３においてフィルタ１０からのアナログオーディオ信号が選択される。また、一方の機器から送られてきたデジタルオーディオ信号を他方の機器で聴取する場合は、第１のソースセレクタ３においてＤＲＭデコーダ１３からのデコード済みデジタルオーディオ信号が選択される。そして、選択された何れかのオーディオ信号がフィルタ１４、アッテネータ１５およびオーディオアンプ１６によって処理され、スピーカ１７から出力される。
【００３１】
なお、他方の機器においても、第１のソースセレクタ３においてフロントエンド部２からのアナログオーディオ信号を選択することにより、他方の機器のフロントエンド部２で受信した放送信号に多重されているアナログオーディオ信号を他方の機器で聴取することが可能である。また、第２のソースセレクタ１１において第１のダウンコンバータ４からのＩＦ−１信号を選択するとともに、第１のソースセレクタ３においてＤＲＭデコーダ１３からの信号を選択することにより、他方の機器のフロントエンド部２で受信した放送信号に多重されているデジタルオーディオ信号を他方の機器で聴取することも可能である。
【００３２】
このように他方の機器で受信したアナログオーディオ信号を他方の機器で聴取しているときでも、一方の機器から伝送されてきた信号の中に含まれているデータをディスプレイコントローラ１８に供給し、ディスプレイ１９に表示することが可能である。すなわち、第１のソースセレクタ３でフロントエンド部２からのアナログオーディオ信号を選択するとともに、第２のソースセレクタ１１でフィルタ９からのＩＦ−１信号を選択することにより、他方の機器で受信したアナログオーディオ信号に基づきスピーカ１７から音声を聴取しながら、一方の機器から送られてきたデータをディスプレイ１９に表示することが可能である。
【００３３】
なお、上記図１に示した構成では、ＤＲＭデコーダ１３で扱う周波数が、バス１００へ重畳するＩＦ−１信号の周波数よりも低いことを仮定していた。これとは逆に、ＤＲＭデコーダ１３で扱う周波数が、バス１００へ重畳するＩＦ−１信号の周波数よりも高い場合には、図３のように、第２のダウンコンバータ１２の代わりにアップコンバータ２２を用いれば良い。また、ＤＲＭデコーダ１３で扱う周波数が、バス１００へ重畳するＩＦ−１信号の周波数と同じ場合には、図４のように、第２のダウンコンバータ１２を省略すれば良い。
【００３４】
以上詳しく説明したように、本実施形態によれば、１つの搬送波に複数のストリームが多重されている放送信号中におけるデジタルオーディオ信号とデータを第１のダウンコンバータ４で周波数変換することにより、複数の機器間を接続しているバス（オーディオライン）１００で伝送可能な周波数帯域以内（例えば３０〜６０ｋＨｚ）のＩＦ−１信号を生成し、生成したＩＦ−１信号をバス１００に伝送するようにしている。その際、フロントエンド部２で検波された２０ｋＨｚ以下のアナログオーディオ信号にＩＦ−１信号を重畳してバス１００に伝送するようにしている。
【００３５】
バス１００の信号伝送帯域は０〜１００ｋＨｚであるから、アナログオーディオ信号だけでなく、デジタルオーディオ信号とデータもＩＦ−１信号としてバス１００に伝送することが可能である。すなわち、本実施形態によれば、放送信号に含まれている複数のストリーム（デジタルオーディオ信号、データ）が多重されたままの状態でＩＦ−１信号をバス１００に伝送することができる。これにより、放送信号を受信する機器に、複数のストリーム用に複数のデコーダを設ける必要がなくなる。また、複数のストリームを個別にバス１００に伝送する必要がなく、中間周波信号という１つの信号を扱えば良いので、複数のストリームを簡単な処理で他の機器に伝送することができるようになる。
【００３６】
なお、上記実施形態では、受信する放送信号の例としてＤＲＭ放送を挙げて説明したが、これに限定されるものではない。複数のストリームが多重されている放送の受信であれば、本発明を同様に適用することが可能である。
【００３７】
また、上記実施形態では、バス１００として共通の信号線（オーディオライン）を用いる例について説明したが、ＭＯＳＴやＩＥＥＥ１３９４などの高速バスを用いても良い。
【００３８】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００３９】
本発明は、１つの搬送波に複数のストリームが多重されている放送信号を受信するとともに、放送信号を他の機器との間でバスを介してやり取りする機能を有するオーディオ装置に有用である。
【図面の簡単な説明】
【００４０】
【図１】本実施形態による車載オーディオ装置の要部構成例を示すブロック図である。
【図２】バス上におけるオーディオ信号とＩＦ−１信号の帯域占有状態を示す図である。
【図３】本実施形態による車載オーディオ装置の要部構成例を示すブロック図である。
【図４】本実施形態による車載オーディオ装置の要部構成例を示すブロック図である。
【符号の説明】
【００４１】
２  フロントエンド部
４  第１のダウンコンバータ
６  マルチプレクサ
８  信号伝送部
１３  ＤＲＭデコーダ
【図１】
2007110465.tif 000003
【図２】
2007110465.tif 000004
【図３】
2007110465.tif 000005
【図４】
2007110465.tif 000006